(57)【要約】【課題】風が吹く方向に関わらず、屋外の風を屋内側に効率的に取り入れることが可能な戸を提供する。【解決手段】室内と室外とを連通させる開口部を閉鎖状態又は開放状態とする戸であって、戸内に設けられ、室内と室外とを連通させる採風口と、採風口と対応して設けられ、当該採風口を開閉する風誘導扉とを備え、風誘導扉が採風口の開放時に室外の風を採風口側に誘導する構成とした。【選択図】図１
2015121065.tif 000002
【特許請求の範囲】
【請求項１】
室内と室外とを連通させる開口部を閉鎖状態又は開放状態とする戸であって、
前記戸内に設けられ、前記室内と室外とを連通させる採風口と、
前記採風口と対応して設けられ、当該採風口を開閉する風誘導扉と、
を備え、
風誘導扉は、前記採風口の開放時に室外の風を前記採風口側に誘導することを特徴とする戸。
【請求項２】
前記風誘導扉は、前記開口部を囲む躯体に設けられた縦枠に沿った軸を回転中心として開閉することを特徴とする請求項１に記載の戸。
【請求項３】
前記戸が、複数の戸板と、
当該複数の戸板を回転可能に連結する連結部材と、
を有し、
前記開口部の開放時において前記連結部材を回転中心として各戸板が互いに折り重ねられる折戸であることを特徴とする請求項１又は請求項２に記載の戸。
【発明の詳細な説明】
【技術分野】
【０００１】
本発明は、戸に関し、特に屋外側の風を屋内側に容易に取り入れることが可能な戸に関する。
【背景技術】
【０００２】
従来、例えば建物の開口部に設置される建具の一例として、互いに連結された複数の戸板をガイドレールに沿って移動させることにより、各戸板同士を折りたたんだ状態で開口部を開放する折戸が知られている。
特許文献１に示すような折戸は、開口部の周囲に沿って設けられた枠体と、当該枠体に回転可能に取付けられ、ルーバーが組み付けられた複数枚の戸板と、枠体に形成され、各戸板を開放または閉鎖方向に移動させるガイドレールとを備える。当該折戸は、留守中や夜間あるいは暴風雨等の際に、開口部を閉鎖することにより防犯性や防風，防雨に対する効果を向上させることができるだけでなく、開口部を閉鎖した状態であっても、ルーバーを開放することによって屋外側の風を屋内側に取り入れることが可能となる。
しかしながら、上記のような折戸にあっては、開口部を閉鎖した状態において、取り入れが容易な方向から吹く風（例えば、開口部に対して直角に吹く風）が吹いた場合、ルーバーの開放により屋外の風を屋内に取り入れることが可能であるが、取り入れが困難な方向から吹く風（例えば、開口部に対して平行に吹く風）が吹いた場合、単にルーバーを開放するだけでは風を屋内側へ取り入れることが難しい場合があった。
【先行技術文献】
【特許文献】
【０００３】
【特許文献１】特開２０１２−２２５１１８号公報
【発明の概要】
【発明が解決しようとする課題】
【０００４】
本発明は、上記課題を解決するため、風が吹く方向に関わらず、屋外の風を屋内側に効率的に取り入れることが可能な戸を提供することを目的とする。
【課題を解決するための手段】
【０００５】
上記課題を解決するため、本発明に係る戸の構成として、室内と室外とを連通させる開口部を閉鎖状態又は開放状態とする戸であって、戸内に設けられ、室内と室外とを連通させる採風口と、採風口と対応して設けられ、当該採風口を開閉する風誘導扉とを備え、風誘導扉が採風口の開放時に室外の風を採風口側に誘導する構成とした。
本構成によれば、戸を閉鎖した状態であっても風誘導扉を開放することにより、室外の風が採風口側に誘導されるため、室外の風を室内に取り入れることが可能となる。
また、他の構成として、風誘導扉が開口部を囲む躯体に設けられた縦枠に沿った軸を回転中心として開閉する構成とした。
本構成によれば、風誘導扉を開放することにより、縦枠と交差する方向に吹く室外の風を採風口側に誘導できるため、室外の風を室内に取り入れることが可能となる。
また、上記各構成に係る戸を、複数の戸板と、当該複数の戸板を回転可能に連結する連結部材とを有し、開口部の開放時において連結部材を回転中心として各戸板が互いに折り重ねられる折戸とすれば、開口部の開放面積を自在に調節することが可能となる。
上記発明の概要は、本発明の必要な特徴の全てを列挙したものではなく、これらの特徴群のサブコンビネーションもまた、発明となり得る。
【図面の簡単な説明】
【０００６】
【図１】折戸の概略正面図である。
【図２】折戸の幅方向断面図である。
【図３】開閉扉の一部を拡大して示す斜視図である。
【図４】折戸の斜視図である。
【図５】他の実施形態に係る折戸の斜視図である。
【発明を実施するための形態】
【０００７】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【０００８】
図１は本発明に係る折戸１０の概略正面図であり、図２は折戸１０の幅方向断面図である。各図に示すように、折戸１０は、構造物躯体１１に形成された開口部１２に設置される。構造物躯体１１は、例えば住宅やビル、倉庫、工場等の構造物の内外を仕切る外壁である。開口部１２は、構造物躯体１１に開設され、屋内外に連通する空間として形成される。
【０００９】
図２に示すように、開口部１２の内側には、開口部１２の周囲を取り囲むように窓枠１６が固定される。本実施形態において窓枠１６には、開口部１２を開放または閉鎖する引き違い式の窓１５が設けられる。窓１５には、上部及び下部に図外の戸車が設けられ、窓１５は、窓枠１６の幅方向に沿って形成された図外のレールに沿って移動可能である。
【００１０】
折戸１０は、窓枠１６と同様に開口部１２の周囲を取り囲むように固定された枠体２０と、枠体２０に沿って移動可能に取付けられ、開口部１２を開放または閉鎖する一対の開閉扉３０；３０とを備える。なお、本明細書において「幅方向」とは、開閉扉３０；３０が開口部１２を開閉する方向を示し、「奥行方向」とは、開閉扉３０の厚み方向（屋内側，屋外側）を意味するものとする。
【００１１】
枠体２０は、構造物躯体１１の奥行方向前方側（屋外側）に図外のボルト等によって固定される一対の縦枠体２１；２１と、当該縦枠体２１；２１の上下両端部に固定され、縦枠体２１；２１間に架設される横枠体２２；２２とを備える。つまり、枠体２０は、構造物躯体１１の屋外側において縦枠体２１；２１及び横枠体２２；２２により、開口部１２の周囲を取り囲む矩形状に組み付けられる。
【００１２】
図２の各図に示すように、縦枠体２１；２１は、横断面略コ字状に形成され、開口部１２の縦辺と平行に延在する。縦枠体２１；２１同士は、コ字状の開口が幅方向外側を向くように配設される。横枠体２２；２２は、縦断面略コ字状の中空部材であって、開口部１２の横辺と平行に延在する。横枠体２２；２２同士は、コ字状の開口が互いに向き合うように配設される。
【００１３】
図２に示すように、上下に対向する横枠体２２；２２には、開閉扉３０の数（本実施形態では２カ所）に応じたガイド部２３が形成される。ガイド部２３は、横枠体２２；２２の幅方向の中心付近から両端部まで延長する開口であり、後述するターンテーブル２５に形成されたガイド溝２６と連通する。ガイド部２３には、開閉扉３０を構成する戸先側戸板３２から突出するガイド棒３４が挿通され、ガイド棒３４は、開閉扉３０の開閉方向への移動に伴ってガイド部２３に沿ってガイドされる。
【００１４】
ターンテーブル２５は、横枠体２２；２２の両端部に取り付けられる略扇状の部材である。ターンテーブル２５には、ガイド部２３と連通し、ガイド部２３から屋外側に湾曲しつつ延在するガイド溝２６が形成される。各ターンテーブル２５は、上記ガイド溝２６が上下に向かい合うように横枠体２２；２２の両端部に取り付けられる。また、詳細については後述するが、ターンテーブル２５に形成されたガイド溝２６は、横枠体２２；２２のガイド部２３に沿って幅方向外側に移動してきたガイド棒３４をさらに開口部１２の幅方向外側まで移動させ、開閉扉３０を構成する吊元側戸板３１及び戸先側戸板３２が折り重なった状態で１８０°まで回転させる。
【００１５】
図３は、開閉扉３０の一部を拡大して示す斜視図である。以下、図１乃至図３を参照しつつ、開閉扉３０について詳説する。なお、以下の説明においては、開閉扉３０のうち縦枠体２１側を吊元側とし、当該吊元側と反対（縦枠体２１から離れる）側を戸先側とする。また、開閉扉３０；３０は同一構成であるため、１の開閉扉３０のみについて説明する。
【００１６】
図１，図３に示すように、開閉扉３０は、横枠体２２；２２に形成されたガイド部２３によって移動可能に支持された一対の吊元側戸板３１及び戸先側戸板３２を備える。吊元側戸板３１と戸先側戸板３２とは、蝶番３３を介して回転可能に連結されている。図２に示すように、吊元側戸板３１は、回転軸３５を中心として回転可能に構成される。回転軸３５は、吊元側戸板３１の吊元側の上端部及び下端部から横枠体２２；２２側に向かって突出する軸であり、ターンテーブル２５に設けられた図外の軸受によって回転可能に支持される。なお、本実施形態において吊元側戸板３１は、上下方向の軸である回転軸３５を回転中心として回転すると説明したが、これに限定されず、左右方向の軸や斜め方向の軸等であってもよい。この場合、後述する戸先側戸板３２については、吊元側戸板３１の態様に応じて回動動作する方向が決定される。
【００１７】
吊元側戸板３１には、矩形状の採風口４１と、採風口４１を閉鎖状態または開放状態とする風誘導扉４２と、吊元側戸板３１と風誘導扉４２とを連結し、風誘導扉４２の開放角度を自在に調整可能とする一対のヒンジ５０；５０とが設けられる。図３（ａ）に示すように、採風口４１は、吊元側戸板３１の外形と略相似となる矩形状に形成される開口であって、屋外側で吹く風を屋内側に取り入れる。なお、採風口４１の形状、大きさ、個数は、これに限られるものではなく、吊元側戸板３１を奥行方向に貫通するものであれば如何なる態様であってもよい。
【００１８】
風誘導扉４２は、採風口４１の形状と対応する矩形状の板体であって、閉鎖時において採風口４１を閉鎖状態に維持し、風の取り込みを阻止し、開放時において採風口４１を開放状態に維持し、風の取り込みを許容する。風誘導扉４２は、開口部１２を囲む構造物躯体１１に設けられた縦枠体２１または回転軸３５と平行な上下方向の軸に沿って回転する。すなわち、図３（ａ）に示すように、風誘導扉４２は、吊元側戸板３１の戸先側において、吊元側戸板３１の縦框３１Ｆに沿って回転し、採風口４１を開閉する。風誘導扉４２と吊元側戸板３１とは、一対のヒンジ５０；５０によって連結されており、風誘導扉４２は屋外側に片開き可能とされる。
なお、図中に示していないが、風誘導扉４２は、各図に示す風誘導板４２とは反対側である吊元側においてヒンジ５０；５０を介して吊元側戸板３１と連結されるとともに、吊元側戸板３１の縦框３１Ｆに沿って回転し、屋外側に片開き可能な構成でもよい。また、風誘導扉４２は、屋外側に片開き可能であれば、上下方向の軸に限定されず、左右方向の軸や斜め方向の軸等であってもよく、任意に設定可能である。
【００１９】
図３に示すように、一対のヒンジ５０；５０は、フリクションタイプのバーヒンジであって、採風口４１を形成する吊元側戸板３１の上縁部３１Ｃ、及び下縁部３１Ｄにそれぞれ配設される。ヒンジ５０は、上縁部３１Ｃ及び下縁部３１Ｄに沿って平行に取り付けられるトラック５１と、当該トラック５１に対して所定の摩擦力を有して移動可能に支持され、トラック５１の走行路５９上を移動するスライダ５２とを備える。スライダ５２には、スライダ５２に対して回転自在に取り付けられたアーム５４を介して固定座５３が取り付けられる。固定座５３は、アーム５４と回転自在に連結されるとともに、風誘導扉４２の上端縁４２Ａ又は下端縁４２Ｂと対応して平行に取り付けられる。固定座５３には、アーム５５が回転自在に連結される。アーム５５は、段差部５５Ａを有してトラック５１、及び固定座５３間に渡って延在する。アーム５５は、前述のスライダ５２とは反端側において、トラック５１に対して不動かつ回転自在に取り付けられる。アーム５５には、アーム５６が回転自在に連結される。アーム５６は、スライダ５２、及びアーム５５間に渡って延在する。アーム５６は、前述のスライダ５２に対して回転自在に取り付けられる。図３（ｂ）からも明らかなとおり、ヒンジ５０を構成する固定座５３、アーム５４、アーム５５及びアーム５６は、風誘導扉４２の開閉動作に応じて変位するリンクを構成し、採風口４１を有する吊元側戸板３１に対する風誘導扉４２の回転動作を確保する。
【００２０】
具体的には、図３（ｂ）に示す状態からスライダ５２とトラック５１の走行路５９との間に生じる摩擦力よりも大きな力で風誘導扉４２が屋外側に開放操作された場合、固定座５３及びアーム５６が平行に矢印Ｘ１方向に回転するとともに、アーム５４及びアーム５５が平行に矢印Ｙ１方向に回転する。またこのとき、スライダ５２はトラック５１の走行路５９上に突設された全開ストッパ５１Ａ側に移動し、移動の継続によりスライダ５２が全開ストッパ５１Ａと当接することによって、風誘導扉４２が吊元側戸板３１に対して屋外側に９０°回転した全開状態に維持される。
【００２１】
一方、図３（ｂ）に示す状態からスライダ５２とトラック５１の走行路５９との間に生じる摩擦力よりも大きな力で風誘導扉４２が屋内側に閉鎖操作された場合、固定座５３及びアーム５６が平行に矢印Ｘ２方向に回転するとともに、アーム５４及びアーム５５が平行に矢印Ｙ２方向に回転する。またこのとき、スライダ５２は、走行路５９上における全開ストッパ５１Ａとは離れる側に突設された全閉ストッパ５１Ｂ側に移動し、移動の継続によりスライダ５２が全閉ストッパ５１Ｂと当接することにより、風誘導扉４２が吊元側戸板３１と平行となる全閉状態に維持される。なお、風誘導扉４２が全閉状態となった場合、固定座５３、アーム５４、アーム５５及びアーム５６は、トラック５１上で重なりあった状態となる。
【００２２】
また、本実施形態においては、風誘導扉４２の最大開放角度を９０°に設定したが、全開ストッパ５１Ａと全閉ストッパ５１Ｂとの離間距離を調整することにより、最大開放角度を任意に設定することが可能である。また、スライダ５２と、トラック５１の走行路５９との間に生じる摩擦力は、任意に設定可能であるが屋外側において吹く風が風誘導扉４２に当る程度ではスライダ５２が移動しない程度の摩擦力とするのが好ましい。
また、本例においては、スライダ５２、及びトラック５１の走行路５９間に生じる摩擦力によって風誘導扉４２の開放角度を任意の角度に維持する構成としたが、固定座５３や各アーム５４，５５，５６間に生じる摩擦力によって風誘導扉４２の開放角度を維持する構成や、これらを組み合わせた構成としてもよい。以上のとおり、本実施形態に係るヒンジ５０は、風誘導扉４２を吊元側戸板３１に対して回転可能に支持するとともに、任意の開放角度での開放を維持する開閉角度変更手段として機能する。
【００２３】
次に、吊元側戸板３１と蝶番３３を介して連結される戸先側戸板３２について説明する。
図１，図２に示すように、戸先側戸板３２は、吊元側戸板３１と同等の大きさに形成される正面視矩形状の板体である。戸先側戸板３２は、蝶番３３を介して吊元側戸板３１と連結されており、図２に示すように、吊元側戸板３１の回転軸３５を回転中心とする屋外側への回転動作と連動して、吊元側戸板３１と重なり合うように屋外側へ回転動作する。戸先側戸板３２の戸先側には、前述したガイド棒３４が突設される。ガイド棒３４は、戸先側戸板３２の上端部及び下端部から横枠体２２；２２側に向かって突出する突起であり、ガイド部２３内に挿通される。図２の各図に示すように、ガイド棒３４は、戸先側戸板３２の回転動作、換言すれば開閉扉３０の開閉動作に応じてガイド部２３内を幅方向に移動する。
【００２４】
戸先側戸板３２には、ルーバー４７が設けられる。ルーバー４７は、戸先側戸板３２に形成された内側開口４６の幅方向に沿って延長する複数の羽板部材４７Ａにより構成される。複数の羽板部材４７Ａは、内側開口４６の上下方向に沿って配設されており、両端部に取り付けられた図外の回動機構を介して内側開口４６内に取り付けられる。各羽板部材４７Ａは、戸先側戸板３２と平行な全閉状態から、戸先側戸板３２に対して例えば１１０°の範囲で回転する開放状態に回動可能であり、開放状態とすることにより内側開口４６に対して直角に吹く風を屋内側に取り入れることが可能である。
【００２５】
次に、上記構成からなる開閉扉３０；３０を備えた折戸１０の開閉動作について説明する。
図２（ａ）に示すように、開閉扉３０；３０が開口部１２を完全に閉鎖した状態（全閉状態）から、屋内側から開閉扉３０；３０が開放操作されると、開閉扉３０；３０の吊元側戸板３１は、回転軸３５を回転中心として屋外側へ回転し、これに連動して戸先側戸板３２がガイド棒３４を回転中心として回転する。またこのとき、図２（ｂ）に示すように、戸先側戸板３２のガイド棒３４は、横枠体２２；２２のガイド部２３に沿って縦枠体２１側に移動し、開口部１２が徐々に開放される。そして、屋内側からの開放操作がさらに継続すると、図２（ｃ）に示すように、吊元側戸板３１の屋内側の面３１Ａと、戸先側戸板３２の屋内側の面３２Ａとが互いに接近しつつ、横枠体２２；２２に対して略９０°となるまで折り重ねられ、開口部１２がさらに開放される。その後、屋内側から戸先側戸板３２をターンテーブル２５側に押し込み操作することにより、図２（ｄ）に示すように、ガイド棒３４がターンテーブル２５に形成されたガイド溝２６に沿ってさらに移動し、吊元側戸板３１及び戸先側戸板３２が互いに折り重なるように、横枠体２２；２２に対して略１８０°回転した状態で停止し、開口部１２が全開状態となる。
【００２６】
図４（ａ），（ｂ）に示すように、上記開閉扉３０；３０を備えた折戸１０によれば、開口部１２に対して平行に吹く風を吊元側戸板３１に設けられた風誘導扉４２を屋外側（室外側）に向かって開放することにより、屋内側（室内側）に取り入れることが可能となる。具体的には、開閉扉３０；３０を全閉した状態、或いは開閉扉３０；３０を開放した状態において風誘導扉４２を屋内側から開放操作することにより、風誘導扉４２を吊元側戸板３１に対して所定の開放角度を有するように開放する。当該開放操作により、開口部１２に対して平行に吹く風は、開放された風誘導扉４２、及び開放状態となった採風口４１を経由して屋内側へ進入することとなる。このとき、図２における屋内側に位置する窓１５は閉鎖した状態を示しているが、開閉扉３０の開放状態に応じて風の取り入れが可能なように、屋内側に位置する窓１５を開放しておく必要があることは言うまでもない。なお、窓１５の全部または一部が網戸のように網やスリット等で構成され、閉鎖状態であっても風を取り入れることが可能であれば、必ずしも窓１５を開放する必要はない。
【００２７】
図５は、他の実施形態に係る折戸１０´を示した概略斜視図である。
同図に示すように、本実施形態に係る折戸１０´は、上記実施形態における戸先側戸板３２のルーバー４７を風誘導扉４２に変更した点で上記実施形態と異なる。つまり、本実施形態に係る折戸１０´は、吊元側戸板３１及び戸先側戸板３２のいずれもが風誘導扉４２を有する。同図に示す折戸１０´によれば、吊元側戸板３１に設けられた風誘導扉４２の開放角度を例えば３０°程度とし、戸先側戸板３２に設けられた風誘導扉４２の開放角度を例えば８０°程度として設定することにより、開口部１２に対して平行に吹く風、及び開口部１２に向かって吹く風の両方を屋内側に容易に取り入れることが可能となる。また、風誘導扉４２；４２の開閉方向を互いに逆に設定（観音開き）することにより、風向きに応じていずれか一方の風誘導扉４２のみの開放により風を室内に取り入れることが可能となる。
【００２８】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【００２９】
上記実施形態においては、風誘導扉４２が設けられる対象を開口部１２に設置される折戸１０，１０´を前提として説明したが、折戸１０，１０´に限定されることはなく、例えば、開口部１２に設置される引き違い式の扉、あるいは住宅の玄関等に広く設置される扉等に対しても適用可能である。
また、本実施形態のように折戸１０，１０´とすれば、開口部１２の開放面積を自在に調節することができる。
【符号の説明】
【００３０】
１０  折戸、２０  枠体、２１  縦枠体、２２  横枠体、２５  ターンテーブル、
３０  開閉扉、３１  吊元側戸板、３２  戸先側戸板、３３  蝶番、３５  回転軸、
４１  採風口、４２  風誘導扉、４６  内側開口、４７  ルーバー、５０  ヒンジ。
【図１】
2015121065.tif 000003
【図２】
2015121065.tif 000004
【図３】
2015121065.tif 000005
【図４】
2015121065.tif 000006
【図５】
2015121065.tif 000007